(57)【要約】      （修正有）【課題】さまざまな形態の路面に対応し、握り易い杖を提供する。【解決手段】本体１０と、枢接体３０と、底座２０とを含んでなり、本体が、桿体を呈し、末端が枢接体に接続し、枢接体が底座に接続し、内部にボール２１を設ける。滑り止め弾性体３１が本体の底部とボールとの間に設け、かつ、枢接体の上方と下方に滑り止め弾性体及びボールを設ける。ボールの底部が枢接体に穿設し、ボールと底座が接続するため、ボールが底座の傾きに合わせて枢接体の内部で回転し、ボールと滑り止め弾性体とが互いに当接し、滑り止め弾性体が滑り止め、弾性力、及び耐摩耗性の特性を具え、ボールが枢接体の内部で傾いて回転する。従って、本体が全面で支持するとともに、滑り止め弾性体の特性がボールの瞬間的な移動力を緩めて安定して走行でき、振動を防ぐことができる。【選択図】図３
0003156900.tif 000002
【実用新案登録請求の範囲】
【請求項１】
本体と、枢接体と、底座とを含んでなり、
該本体が、桿体を呈し、末端が枢接体に接続し、
該枢接体が、底座に接続し、内部にボールが設けられ、
滑り止め弾性体が本体の底部とボールとの間に設けられ、該枢接体の上方と下方にそれぞれ滑り止め弾性体及びボールを設けてなり、該ボールの底部が枢接体に穿設し、ボールと底座が接続し、ボールが底座の傾きに合わせて枢接体の内部で回転するとともに、ボールと滑り止め弾性体とが互いに当接し、滑り止め弾性体が滑り止め、弾性力、及び耐摩耗性の特性を具えてなり、
ボールが枢接体の内部で傾いて回転することで本体が全ての方面で支持することができるとともに、滑り止め弾性体の滑り止めの特性がボールの瞬間的な移動力を緩め、使用者が安定して走行することができ、振動を防ぐことができる構造からなることを特徴とする杖。
【請求項２】
前記底座が、三本の支柱を設けてなり、中央にネジ孔を具えてなり、該ボールの下方にネジ柱が形成され、該ネジ柱がナットで底座のネジ孔に接続されることを特徴とする請求項１に記載の杖。
【請求項３】
前記底座の支柱が、下方に弾性パッドを螺設することを特徴とする請求項２に記載の杖。
【請求項４】
前記滑り止め弾性体が、弾性部材であって、底面が球状の凹面であることを特徴とする請求項１に記載の杖。
【請求項５】
前記枢接体が、筒体であって、底端部が下方に向けて次第に口径が小さくなるように形成され、底端部の口径がボールの外径よりも小さく形成され、底端部に孔が設けられることを特徴とする請求項１に記載の杖。
【請求項６】
前記本体が、枢接体の上端部内に挿設され、ネジが枢接体に穿設され本体と接続されることを特徴とする請求項１に記載の杖。
【請求項７】
前記滑り止め弾性体が、弾性ワッシャーと磁鉄からなり、弾性ワッシャーの底面が球状の凹面でボールと互いに貼着し、磁鉄が弾性ワッシャー上方に位置するように設けられることを特徴とする請求項１に記載の杖。
【請求項８】
前記ボールが、導磁性を供えた材質からなることを特徴とする請求項７に記載の杖。
【考案の詳細な説明】
【技術分野】
【０００１】
この考案は、杖であって、特に走行する場合に体を支えて安定して走行させることができる杖に関する。
【背景技術】
【０００２】
従来の杖は、体に支障がある人や、行動が不便な人を補助する走行用の道具であって、行動が不便な人を走行時に支持して安定して走行できるようにする。
【０００３】
しかしながら、路面が平坦、斜度がある、凸凹があり平らではない場合、単一な形態の杖では様々な需要に応えることができない。
【０００４】
図１に開示するように、従来の杖は底部に着地座２か、或いは着地端が設けられる。
【０００５】
よって、該着地座２と、杖１本体が互いに固定されているため、折り曲げる、或いは角度を変化させることができない。
【０００６】
このため、平坦な路面では走行者を支持して走行を補助することができて、非常に便利である。
【０００７】
しかしながら、上述の杖は、図２に開示するように、斜度のある路面の場合、杖１が傾斜するため、走行社を平行に支持することができないか、或いは凸凹な路面では、杖１が傾斜しすぎて走行者の重心が不安定になり転倒する危険性がある。
【考案の開示】
【考案が解決しようとする課題】
【０００８】
この考案は、さまざまな形態の路面に対応し、握り易い杖を提供することを課題とする。
【課題を解決するための手段】
【０００９】
そこで、本考案者は従来の技術に見られる欠点に鑑みて鋭意研究を重ねた結果、本体と、枢接体と、底座とを含んでなり、
該本体が、桿体を呈し、末端が枢接体に接続し、
該枢接体が、底座に接続し、内部にボールが設けられ、
滑り止め弾性体が本体の底部とボールとの間に設けられ、該枢接体の上方と下方にそれぞれ滑り止め弾性体及びボールを設けてなり、該ボールの底部が枢接体に穿設し、ボールと底座が接続し、ボールが底座の傾きに合わせて枢接体の内部で回転するとともに、ボールと滑り止め弾性体とが互いに当接し、滑り止め弾性体が滑り止め、弾性力、及び耐摩耗性の特性を具えてなり、
ボールが枢接体の内部で傾いて回転することで本体が全ての方面で支持することができるとともに、滑り止め弾性体の滑り止めの特性がボールの瞬間的な移動力を緩め、使用者が安定して走行することができ、振動を防ぐことができる構造からなる杖によって課題を解決できる点に着眼し、かかる知見に基づいて本考案を完成させた。
【００１０】
以下、この考案について具体的に説明する。
請求項１に記載の杖は、本体と、枢接体と、底座とを含んでなり、
該本体が、桿体を呈し、末端が枢接体に接続し、
該枢接体が、底座に接続し、内部にボールが設けられ、
滑り止め弾性体が本体の底部とボールとの間に設けられ、該枢接体の上方と下方にそれぞれ滑り止め弾性体及びボールを設けてなり、該ボールの底部が枢接体に穿設し、ボールと底座が接続し、ボールが底座の傾きに合わせて枢接体の内部で回転するとともに、ボールと滑り止め弾性体とが互いに当接し、滑り止め弾性体が滑り止め、弾性力、及び耐摩耗性の特性を具えてなり、
ボールが枢接体の内部で傾いて回転することで本体が全ての方面で支持することができるとともに、滑り止め弾性体の滑り止めの特性がボールの瞬間的な移動力を緩め、使用者が安定して走行することができ、振動を防ぐことができる構造からなる。
【００１１】
請求項２に記載の杖は、請求項１における底座が、三本の支柱を設けてなり、中央にネジ孔を具えてなり、該ボールの下方にネジ柱が形成され、該ネジ柱がナットで底座のネジ孔に接続される。
【００１２】
請求項３に記載の杖は、請求項２における底座の支柱が、下方に弾性パッドを螺設する。
【００１３】
請求項４に記載の杖は、請求項１における滑り止め弾性体が、弾性部材であって、底面が球状の凹面である。
【００１４】
請求項５に記載の杖は、請求項１における枢接体が、筒体であって、底端部が下方に向けて次第に口径が小さくなるように形成され、底端部の口径がボールの外径よりも小さく形成され、底端部に孔が設けられる。
【００１５】
請求項６に記載の杖は、請求項１における本体が、枢接体の上端部内に挿設され、ネジが枢接体に穿設され本体と接続される。
【００１６】
請求項７に記載の杖は、請求項１における滑り止め弾性体が、弾性ワッシャーと磁鉄からなり、弾性ワッシャーの底面が球状の凹面でボールと互いに貼着し、磁鉄が弾性ワッシャー上方に位置するように設けられる。
【００１７】
請求項８に記載の杖は、請求項７におけるボールが、導磁性を供えた材質からなる。
【考案の効果】
【００１８】
この考案による杖は、どのような路面にも対応でき実用的であるという効果を有する。
【考案を実施するための最良の形態】
【００１９】
この考案は、さまざまな形態の路面に対応し、握り易い杖であって、本体と、枢接体と、底座とを含んでなり、
該本体が、桿体を呈し、末端が枢接体に接続し、
該枢接体が、底座に接続し、内部にボールが設けられ、
滑り止め弾性体が本体の底部とボールとの間に設けられ、該枢接体の上方と下方にそれぞれ滑り止め弾性体及びボールを設けてなり、該ボールの底部が枢接体に穿設し、ボールと底座が接続し、ボールが底座の傾きに合わせて枢接体の内部で回転するとともに、ボールと滑り止め弾性体とが互いに当接し、滑り止め弾性体が滑り止め、弾性力、及び耐摩耗性の特性を具えてなり、
ボールが枢接体の内部で傾いて回転することで本体が全ての方面で支持することができるとともに、滑り止め弾性体の滑り止めの特性がボールの瞬間的な移動力を緩め、使用者が安定して走行することができ、振動を防ぐことができる構造からなる杖の構造と特徴を詳述するために具体的な実施例を挙げ、図示を参照にして以下に説明する。
【実施例】
【００２０】
図３から図６は、この考案の杖を示したものである。
【００２１】
図面によれば、該杖は、本体１０と、底座２０と、枢接体３０とを含んでなる。
【００２２】
該本体１０は、桿体を呈し、上端部に使用者が握るために供するハンドル１１を設けてなり、末端が枢接体３０と互いに接続する。
【００２３】
該枢接体３０は、底座２０と互いに接続する。該枢接体３０は筒体であって、底端部３２が下方に向けて次第に口径が小さくなるように形成され、該底端部３２には孔３３が形成される。
【００２４】
本体１０は、枢接体３０の上端部内に挿設され、ネジ１２とナット１２１で本体１０と枢接部３０とが接続される。
【００２５】
該ネジ１２は、枢接体３０に穿設し、本体１０の末端と接続する。
【００２６】
該枢接体３０は内部に滑り止め弾性体３１と、ボール２１とを設けてなる。
【００２７】
該滑り止め弾性体３１は、弾性部材であって、弾性力、滑り止め、耐磨耗性などの特性を具えてなり、本体１０の末端とボール２１との間に位置するように設けられる。
【００２８】
滑り止め弾性体３１の底面は、球状の凹面であって、ボール２１は枢接体３０内部に設けることができる。
【００２９】
また、枢接体３０の底端部３２は次第に口径が小さくなるように形成され、ボール２１の外径よりも小さくなる。
【００３０】
よって、ボール２１が枢接体３０から抜け落ちることがなく、ボール２１が枢接体３０の底端部３２で傾斜して回転することができる。
【００３１】
ボール２１と、滑り止め弾性体３１とは互いに当接する。
【００３２】
ボール２１の下方にはネジ柱２１１に形成される。該ネジ柱２１１は枢接体３０の孔３３に穿設し、底座２０と互いに接続して設けられる。
【００３３】
よって、ボール２１と底座２０とは同時に作動する。
【００３４】
該底座２０には三本の支柱２２が設けられ、底座２０の中心にはネジ孔２３を形成する。
【００３５】
ネジ孔２３は、ボール２１のネジ柱２１１とナット２５とを螺接するために供し、ボール２１が底座２０に接続される。
【００３６】
該支柱２２の底部は弾性パッド２４に螺接される。
【００３７】
上述のように、この考案の杖は使用する場合、使用者が手で本体１０上端部のハンドル１１を握り支柱２２と、弾性パッド２４で地面に接触する。
【００３８】
傾斜した地面、凸凹の地面を走行する場合、支柱２２及びネジ柱２１１が枢接体３０と、本体１０に傾斜し、ボール２１が連動して枢接体３０内部で傾いて回転する。
【００３９】
よって、杖を使用する人の力に対応して本体１０が全方面から支持するとともに、ボール２１が枢接体３０内部に設けられているため、滑り止め弾性体３１がボール２１に当接される。
【００４０】
このため、ボール２１の瞬間的な動きが緩められ（ボール２１の回転速度が遅くなる）、本体１０が垂直な状態を維持し、杖の使用者がさらに安定した状態で走行することができ、転倒することがない。
【００４１】
また、図６に開示するような非常に傾斜した地面においてでも、本体１０が垂直な状態を保つため、転倒することがない。
【００４２】
この考案の滑り止め弾性体３１は、ボール２１の瞬間的な動きを緩める以外に、本体１０を握る使用者が平坦な路面、凸凹な路面、或いは傾斜した路面を走行する場合、支柱２２が路面に接触し、半作用力が本体１０を握る使用者に伝達される。
【００４３】
該滑り止め弾性体３１が適宜に振動を除去することや、振動が発生することを防ぐことができ、使用者が手の部分に感じる振動を抑えることができ、手の損傷などを減らすことができる。
【００４４】
図７は、この考案の他の実施を示したものである。
【００４５】
図面によれば、滑り止め弾性体４０は、弾性ワッシャー４１と、磁鉄４２とを含んでなる。
【００４６】
弾性ワッシャー４１は、底面が球状の凹面で、ボール２１と互いに貼着する。
【００４７】
ボール２１は、導磁性を具えた材質で、磁鉄４２が弾性ワッシャー４１上方に位置するように設けられる。
【００４８】
弾性ワッシャー４１も同様に弾性、滑り止め、耐磨耗性の抑制を具えてなる。
【００４９】
磁鉄４２は、ボール２１を磁性で吸着し、ボール２１が磁性による吸着で、動力が低減される。
【００５０】
ボール２１が瞬間的に傾いて回転する形式に二重の制限を受けるため、本体１０を安全に安定させる目的を達成することができる。２
【００５１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５２】
【図１】従来の杖を示した平面図である。
【図２】従来の杖で斜度のある地面を走行した状態を示した平面図である。
【図３】この考案の杖を示した分解図である。
【図４】この考案の杖を示した斜視図である。
【図５】この考案の杖を示した局部断面図である。
【図６】この考案の杖で斜度のある地面を走行する状態を示した局部断面図である。
【図７】この考案の杖の他の実施形態を示した局部断面図である。
【符号の説明】
【００５３】
１       杖
１０     本体
１１     ハンドル
１２     ネジ
１２１   ナット
２       着地座
２０     底座
２１     ボール
２１１   ネジ柱
２２     支柱
２３     ネジ孔
２４     弾性パッド
２５     ナット
３０     枢接体
３１     滑り止め弾性体
３２     底端部
３３     孔
４０     滑り止め弾性体
４１     弾性ワッシャー
４２     磁鉄
【図１】
0003156900.tif 000003
【図２】
0003156900.tif 000004
【図３】
0003156900.tif 000005
【図４】
0003156900.tif 000006
【図５】
0003156900.tif 000007
【図６】
0003156900.tif 000008
【図７】
0003156900.tif 000009